(57)【特許請求の範囲】
【請求項１】
スノーボードの長手方向に向かって取付けられるプレートと、このプレートに開設した対の一方の孔、他方の孔と、この各一方の孔、他方の孔に設けた方形状の一方のビンディング取付け板、方形状の他方のビンディング取付け板とで構成したスノーボードであって、
前記他方の孔に前記他方のビンディング取付け板を固定し、
前記一方の孔の長手方向の両縁面に蟻溝嵌合、差込み嵌合、レール方式のガイド手段を介して、前記一方のビンディング取付け板を設け、
前記一方の孔の壁面に杆体の基端部を固止し、かつ、この杆体の杆部を前記一方のビンディング取付け板の貫通孔に移動可能に貫設するとともに、この貫通孔に空間をもって前記杆体の頭部を設け、
前記一方の孔の壁面と、前記一方のビンディング取付け板の壁面の間に弾性部材を設け、
前記ガイド手段と、一方のビンディング取付け板の貫通孔の空間内で頭部及び／又は杆部の移動とにより、前記一方のビンディング取付け板が移動できる構成としたスノーボード。
【請求項２】
請求項１に記載のスノーボードであって、
前記プレートを一方のプレートと他方のプレートの二部品とし、
この一方のプレートと他方のプレートを弾性体を介して連繋した構成のスノーボード。
【請求項３】
請求項１乃至請求項２に記載のスノーボードであって、
前記プレートを、スノーボードを構成する踏み板の表面に取付ける構成としたスノーボード。
【請求項４】
請求項１乃至請求項２に記載のスノーボードであって、
前記プレートを、スノーボードを構成する踏み板と、滑走板との間に取付けられる構造は、この踏み板の表面側に、対の開口を設け、この開口に、前記プレートに開設した対の孔を位置させる構成とし、この対の孔に、前記ビンディング取付け板が設けられる構成としたスノーボード。
【請求項５】
請求項１に記載のスノーボードであって、
前記プレートに開設した一方の孔と、この一方の孔に設置した一方のビンディング取付け板との間に、復帰手段を設ける構造は、この一方のビンディング取付け板に開設した貫通孔と、
この貫通孔の長手方向に空間を持って杆体の頭部を設けるとともに、この杆体の基端部を一方の孔の壁面に固止し、この一方の孔の壁面と、この一方のビンディング取付け板の壁面との間に設けたスプリング、シリンダ、アクチュエータの弾性部材とで構成するスノーボード。
【発明の詳細な説明】
【技術分野】
【０００１】
本発明は、振動（衝撃）及び／又は耐久性に優れたスノーボードに関する。
【背景技術】
【０００２】
周知の如く、スノーボードの滑走（滑降）中は、地面及び／又は雪面（雪面とする）の凹凸、傾斜、ギャップ等の変化、及び／又は、滑走者の姿勢等により、このスノーボードに対する振動（衝撃）は区々であり、その振動の程度は、予想もできないものである。従って、例えば、スノーボードの破損・損傷が生じ、この破損等に基く、怪我、殺傷等の人身事故の発生し、極めて、由々しき問題である。また、スノーボードを撓ませる技術と、その反発を有効利用する高度の技術で滑走し、滑走方向の変更、調節、又は体重移動の妙味等を図ること、またこれに基いて、スピード感・爽快感の達成と、走行姿勢・スピード等が確保し、有意義な滑走を図ること等が求められている。
【０００３】
そして、前述の要求を満たすためには、スノーボードの強靭性と、復帰性（戻り）と、振動吸収（衝撃吸収）性等が要求される。そのため、このスノーボードに振動吸収（衝撃吸収）手段を装着したり、また補強板を装着したりすることが一部で実行されている。そして、これに関する先行文献も数件見当たる。この先行文献を以下に説明する。
【０００４】
文献（１）は、実用新案登録第３０９７４０７号の「スノーボード」がある。この発明は、踏み板と滑走板との間に、支持ブロックと、この支持ブロックを挟むように対の緩衝弾性体を設けた構造であり、滑走抵抗を軽減し、方向転換を敏捷に行な得ること、また、滑走中に衝撃を受けた時とか、ジャンプした時に、そのショックを吸収すること、等を意図する。
【０００５】
また文献（２）は、特開２００６−４６０の「スノーボード用補強プレート及びスノーボード」がある。この発明は、スノーボードのトーション、フレックスを補強するためのスノーボード用補強プレートであって、ビンディングをスノーボードに取付ける取付け用孔を備えた中央補強板と、この中央補強板の両自由側端（スノーボードの前進と、後進方向の端、即ち、その長手方向）から延設された中央方向補強板と、中央補強板の両幅側端（スノーボードの幅方向端）から延設され、かつ自由側端に間隔を置いて設けた対の放射状補強板とからなる構成であり、スノーボードのフレックス及びトーションをスノーボードに適した補強にすること、またこの補強を介してスノーボードの強度の向上を図ること等を意図する。そして、この補強を介して大きな脚力でスノーボードを操作可能となり、また容易にターンを繰り返し可能となり有益であること等を意図する。
【０００６】
さらに文献（３）は、特表２００７−５１２９２５の「振動吸収層を有する滑走用板」がある。この発明は、骨格となる芯部材の上下側に設けた上下部構造層と、この下部構造層の下側に設けた基体、並びに金属のエッジ部と、また、上部構造層の上側に設けたカバー用の保護層と、この保護層に設けた凹部と、この凹部を、前記スノーボードのビンディング取付け領域に設けるとともに、この凹部に設けた振動吸収板とで構成したスノーボードの滑走板であって、この振動吸収板が、保護層の上面より、突出しないことを特徴とする構造である。従って、振動吸収板を介して、スノーボードの滑走中に発生する衝撃を吸収し、また、このスノーボード及び／又は振動吸収板の損傷の回避と、取扱の容易化等を図ることを意図する。
【０００７】
文献（４）は、特表２００２−５１５７６８の「スノーボード用サスペンションシステム」がある。この発明は、ビンディングプレートと、スノーボードの表面に取付けた取付け板との間に、ダンパー、スプリング、伸縮機構等のサスペンション機構を設け構造であり、このビンディングプレートに上下方向の自由度及び／又は調整（垂直運動及び／又は調整）を確保し、かつ技術の向上及び／又は感動を楽しむことと、衝撃の吸収と、又はダイナミックを確保すること、等を意図する。
【０００８】
【特許文献１】実用新案登録第３０９７４０７号
【特許文献２】特開２００６−４６０
【特許文献３】特表２００７−５１２９２５
【特許文献４】特表２００７−５１５７６８
【発明の開示】
【発明が解決しようとする課題】
【０００９】
文献（１）は、スノーボードのセンターに対する耐圧力を担持し、このスノーボードと雪面との圧着（接雪）を、最適な状態とする構造であり、緩衝と、スノーボード全体に、弾力（弾性）と、敏捷性を確保することを意図する。しかし、この文献（１）は、スノーボードのセンターの緩衝効果を、支持ブロックで図ることを主体とする構造であり、滑走中の反力手段による反発力を利用し、スノーボードの反りの補完と、体勢・体重の移動び／又はスピードの向上を図りつつ、技術（滑走技術、その他の技術）の習得を図るには充分とは、考えられない処である。
【００１０】
文献（２）は、スノーボード用補強プレート（補強プレートとする）が、中央補強部と、中心方向補強部、並びに放射状補強部で構成されるので、この補強プレートが、スノーボードから剥離した場合には、大変危険であり、怪我、殺傷等の人身事故を引き起こす虞がある。また、この文献（２）は、単なる補強板の概念（荷重に対する備え）であって、振動吸収の効果は、期待できなく、一面的な改良に留まっているものと考えられる。さらに、この文献（２）は、［０００５］に「ターン時において、ターンをし易いように撓んだり捻れたりし難いため、初級のスノーボーダーにとっては、大きなフレックス及びトーションのスノーボードはターン時において操作し難いものである」との記述があるが、かえって、スノーボートはこのような状況においては、雪面に馴染んで変化する構成を備えているほうが、安全性、技術の向上等に有益であると考えられる。従って、スノーボードの補強のみを意図する構成は、少なからず問題を抱えているものと思われ、その改良の余地がある。
【００１１】
文献（３）は、スノーボードを、複合部材により積層し、スノーボードのビンディング取付け領域に、振動吸収板を埋設する構造である。従って、振動吸収と、滑走性の向上には、有効である反面、文献（１）と同様に、改良の余地が考えられる。
【００１２】
尚、文献（４）は、スノーボードに新しい感覚と、技術の向上を図るには、有益である。しかし、ヒンジ機構を利用したサスペンションを主体とする構造であり、抵抗感があること、又は習得に関し、少し問題（時間と練習を要すること）があること、等が考えられる。
【課題を解決するための手段】
【００１３】
請求項１の発明は、滑走中の反力手段による反発力を利用し、スノーボードの反りの補完と、体勢・体重の移動及び／又はスピードの向上を図りつつ、技術（滑走技術、その他の技術）の習得を図ることを意図する。また請求項１の発明は、一方のビンディング取付け板に設けた一方の孔に、復帰手段を設ける構成であるので、スノーボードに、振動吸収性と、補強性を付与すること、これにより、各雪面の形態に対応して、スノーボードにかかる荷重（捻り、撓み、破損等）、振動に対して有効に機能すること、滑走者に対する荷重、振動等の外的要件による不具合の解消に役立てること、等を目的とする。また、この請求項１の発明は、前述した、各特徴を利用し、例えば、技術の向上と、スキー競技の特性、又はエンジョイすること等を意図する。
【００１４】
請求項１は、スノーボードの長手方向に向かって取付けられるプレートと、このプレートに開設した対の一方の孔、他方の孔と、この各一方の孔、他方の孔に設けた方形状の一方のビンディング取付け板、方形状の他方のビンディング取付け板とで構成したスノーボードであって、
前記他方の孔に前記他方のビンディング取付け板を固定し、
前記一方の孔の長手方向の両縁面に蟻溝嵌合、差込み嵌合、レール方式のガイド手段を介して、前記一方のビンディング取付け板を設け、
前記一方の孔の壁面に杆体の基端部を固止し、かつ、この杆体の杆部を前記一方のビンディング取付け板の貫通孔に移動可能に貫設するとともに、この貫通孔に空間をもって前記杆体の頭部を設け、
前記一方の孔の壁面と、前記一方のビンディング取付け板の壁面の間に弾性部材を設け、
前記ガイド手段と、一方のビンディング取付け板の貫通孔の空間内で頭部及び／又は杆部の移動とにより、前記一方のビンディング取付け板が移動できる構成としたスノーボードである。
【００１５】
請求項２の発明は、請求項１の目的を達成すること、この目的を達成するために、最適な、プレートを提供することを意図する。
【００１６】
請求項２は、請求項１に記載のスノーボードであって、
前記プレートを一方のプレートと他方のプレートの二部品とし、
この一方のプレートと他方のプレートを弾性体を介して連繋した構成のスノーボードである。
【００１７】
請求項３の発明は、請求項１乃至請求項２の目的を達成すること、この目的を達成するために、最適な、プレートの取付け位置を提供することを意図する。
【００１８】
請求項３は、請求項１乃至請求項２に記載のスノーボードであって、
前記プレートを、スノーボードを構成する踏み板の表面に取付ける構成としたスノーボードである。
【００１９】
請求項４の発明は、請求項１乃至請求項２の目的を達成すること、この目的を達成するために、最適な、埋設形のプレートを提供することを意図する。
【００２０】
請求項４は、請求項１乃至請求項２に記載のスノーボードであって、
前記プレートを、スノーボードを構成する踏み板と、滑走板との間に取付けられる構造は、この踏み板の表面側に、対の開口を設け、この開口に、前記プレートに開設した対の孔を位置させる構成とし、この対の孔に、前記ビンディング取付け板が設けられる構成としたスノーボードである。
【００２１】
請求項５の発明は、請求項１の目的を達成すること、この目的を達成するために、最適な、一方のビンディング取付け板と、復帰手段との構造を提供することを意図する。
【００２２】
請求項５は、請求項１に記載のスノーボードであって、
前記プレートに開設した一方の孔と、この一方の孔に設置した一方のビンディング取付け板との間に、復帰手段を設ける構造は、この一方のビンディング取付け板に開設した貫通孔と、
この貫通孔の長手方向に空間を持って杆体の頭部を設けるとともに、この杆体の基端部を一方の孔の壁面に固止し、この一方の孔の壁面と、この一方のビンディング取付け板の壁面との間に設けたスプリング、シリンダ、アクチュエータの弾性部材とで構成するスノーボードである。
【００２３】
【００２４】
【発明の効果】
【００２５】
請求項１の発明は、スノーボードの長手方向に向かって取付けられるプレートと、プレートに開設した対の一方の孔、他方の孔と、各一方の孔、他方の孔に設けた方形状の一方のビンディング取付け板、方形状の他方のビンディング取付け板とで構成したスノーボードであって、
他方の孔に他方のビンディング取付け板を固定し、
一方の孔の長手方向の両縁面に蟻溝嵌合、差込み嵌合、レール方式のガイド手段を介して、一方のビンディング取付け板を設け、
一方の孔の壁面に杆体の基端部を固止し、かつ、杆体の杆部を一方のビンディング取付け板の貫通孔に移動可能に貫設するとともに、貫通孔に空間をもって杆体の頭部を設け、
一方の孔の壁面と、一方のビンディング取付け板の壁面の間に弾性部材を設け、
ガイド手段と、一方のビンディング取付け板の貫通孔の空間内で頭部及び／又は杆部の移動とにより、一方のビンディング取付け板が移動できる構成としたスノーボードである。
【００２６】
従って、請求項１は、滑走中の反力手段による反発力を利用し、スノーボードの反りの補完と、体勢・体重の移動及び／又はスピードの向上を図りつつ、技術（滑走技術、その他の技術）の習得を図ることを意図する。また請求項１の発明は、一方のビンディング取付け板に設けた一方の孔に、復帰手段を設ける構成であるので、スノーボードに、振動吸収性と、補強性を付与すること、これにより、各雪面の形態に対応して、スノーボードにかかる荷重（捻り、撓み、破損等）、振動に対して有効に機能すること、滑走者に対する荷重、振動等の外的要件による不具合の解消に役立てること、等を目的とする。また、この請求項１の発明は、前述した、各特徴を利用し、例えば、技術の向上と、スキー競技の特性、又はエンジョイできること等の実益を有する。
【００２７】
請求項２の発明は、請求項１に記載のスノーボードであって、
プレートを一方のプレートと他方のプレートの二部品とし、
一方のプレートと他方のプレートを弾性体を介して連繋した構成のスノーボードである。
【００２８】
従って、請求項２は、請求項１の目的を達成できること、この目的を達成するために、最適な、プレートを提供できること等の特徴を有する。
【００２９】
請求項３は、請求項１乃至請求項２に記載のスノーボードであって、
プレートを、スノーボードを構成する踏み板の表面に取付ける構成としたスノーボードである。
【００３０】
従って、請求項３は、請求項１乃至請求項２の目的を達成できること、この目的を達成するために、最適な、プレートの取付け位置を提供できること等の特徴を有する。
【００３１】
請求項４は、請求項１乃至請求項２に記載のスノーボードであって、
プレートを、スノーボードを構成する踏み板と、滑走板との間に取付けられる構造は、踏み板の表面側に、対の開口を設け、開口に、プレートに開設した対の孔を位置させる構成とし、対の孔に、ビンディング取付け板が設けられる構成としたスノーボードである。
【００３２】
従って、請求項４は、請求項１乃至請求項２の目的を達成できること、この目的を達成するために、最適な、埋設形のプレートを提供できること等の特徴を有する。
【００３３】
請求項５は、請求項１に記載のスノーボードであって、
プレートに開設した一方の孔と、一方の孔に設置した一方のビンディング取付け板との間に、復帰手段を設ける構造は、一方のビンディング取付け板に開設した貫通孔と、
貫通孔の長手方向に空間を持って杆体の頭部を設けるとともに、杆体の基端部を一方の孔の壁面に固止し、一方の孔の壁面と、一方のビンディング取付け板の壁面との間に設けたスプリング、シリンダ、アクチュエータの弾性部材とで構成するスノーボードである。
【００３４】
従って、請求項５は、請求項１の目的を達成できること、この目的を達成するために、最適な、一方のビンディング取付け板と、復帰手段との構造を提供できること等の特徴を有する。
【００３５】
【００３６】
【発明を実施するための最良の形態】
【００３７】
以下、本発明の実施の態様（形態）を説明する。
【００３８】
図面の説明をすると、図１〜図６−１・６−３は、本発明の第一の実施例を示しており、図１は全体の斜視図、図２はプレートに開設した対の孔と、各孔に設けた対のビンディング取付け板との関係を示した斜視図、図３は図２の要部の拡大斜視図、図４−１は、第一の実施例の他の例を示したものであり、プレートに開設した対の孔と、各孔に設けた対ビンディング取付け板との関係を示した平面図で、一方のビンディング取付け板が停止位置にある状態を示している、また、図４−２は、図４−１の状態から、一方のビンディング取付け板が動作位置にある状態を示した平面図である。尚、図５−１は、表面に設けたプレートに開設した対の孔と、各孔に設けた対のビンディング取付け板との関係を示し、この一方のビンディング取付け板が停止位置にあって、このプレートがフラットの状態を示した側面図、図５−２は、図５−１の状態から、この一方のビンディング取付け板が作動位置にあって、このプレートに荷重がかかり、当該プレートとスノーボードが凹設した状態を示した側面図、図５−３は、図５−２の状態から、この一方のビンディング取付け板が停止位置に復帰し、このプレートに反発力が付与され、当該プレートがとスノーボードが、フラットの状態を経由し、凸設した状態に復帰した側面図、また、図６−１は、第一の実施例の別の例を示したものであり、埋設したプレートに開設した対の孔と、各孔に設けた対のビンディング取付け板との関係を示し、この一方のビンディング取付け板が停止位置にあって、このプレートがフラットの状態を示した側面図、図６−２は、図６−１の状態から、この一方のビンディング取付け板が作動位置にあって、このプレートに荷重がかかり、当該プレートとスノーボードが凹設した状態を示した側面図、図６−３は、図６−２の状態から、この一方のビンディング取付け板が停止位置に復帰し、このプレートに反発力が付与され、当該プレートがとスノーボードが、フラットの状態を経由し、凸設した状態に復帰した側面図である。次に、図７−１・７−３、図８−１・図８−３は、本発明の第二の実施例を示しており、図７−１は、スノーボードに立設した固定板に、孔付きプレートを支持し、この各孔に設けた対のビンディング取付け板と、弾性装置とを備えたスノーボードの側面図で、この一方のビンディング取付け板が停止位置にあって、このプレートがフラットの状態を示した側面図、図７−２は、図７−１の状態から、この一方のビンディング取付け板が作動位置にあって、このプレートがフラットの状態を示した側面図、図７−３は、図７−２の状態から、この一方のビンディング取付け板が停止位置に復帰し、このプレートがフラットの状態を示した側面図、そして、図８−１は、第二の実施例の他の一例を示した要部の拡大側面図、図８−２は、第二の実施例のさらに他の一例を示した要部の拡大側面図、図９は、この第三の実施例のプレートと支柱、並びにスノーボードと動き（伸張）の関係を示した模式図である。さらに、図１０−１・１０−３は、本発明の第三の実施例を示しており、図１０−１は、スノーボードに立設した弾性柱に、孔付きプレートを支持し、この各孔に設けた対のビンディング取付け板と、弾性装置とを備えたスノーボードの側面図で、この一方のビンディング取付け板が停止位置にあって、このプレートがフラットの状態を示した側面図、図１０−２は、図１０−１の状態から、この一方のビンディング取付け板が作動位置にあって、このプレートがフラットの状態を示した側面図、図１０−３は、図１０−２の状態から、この一方のビンディング取付け板が停止位置に復帰し、このプレートがフラットの状態を示した側面図、図１１は、この第三の実施例のプレートと弾性支柱、並びにスノーボードと動き（伸張）の関係を示した模式図である。尚、図１２は、第四の実施例を示した側面図、図１３は、図１２の要部の拡大側面図である。
【００３９】
以下、本発明の第一の実施例を、図１〜図６−１・６−３を基に説明する。この一例では、図中１はスノーボード本体で、このスノーボード本体１は、踏み板１００と、この踏み板１００に設けた滑走板１０１とで構成する。そして、この踏み板１００の表面１００ａには、スノーボード本体１（スノーボード）の長手方向Ａに向かって取付けられるプレート２が、対で設けられる（一体構造も可能である）。そして、このプレート２の長手方向Ａに、それぞれ孔２００、２０１（長孔）を開設する（一方の孔２００、他方の孔２０１とする）。この一方の孔２００、他方の孔２０１には、方形状の一方のビンディング取付け板３００、同じ形状の他方のビンディング取付け板３０１が、設けられる。但し、この例では、一方のビンディング取付け板３００が移動可能で、他方のビンディング取付け板３０１が固止されている。また、この一方のビンディング取付け板３００と他方のビンディング取付け板３０１が、一体構造では、対のビンディング取付け板３００、３０１とする。さらに、この一方・他方のビンディング取付け板３００、３０１の脱抜、並びに移動可能とするために、この一方・他方のビンディング取付け板３００、３０１と、一方・他方の孔２００、２０１の長手方向Ａの両縁面に、蟻溝嵌合、差込み嵌合、レール方式等のガイド手段５を設ける。
【００４０】
そして、この一方の孔２００に設けられた一方のビンディング取付け板３００は、一方のビンディング取付け板３００に開設した貫通孔３００ａと、この貫通孔３００ａの長手方向Ａに空間Ｈを持って杆体６の頭部を設けるとともに、この杆体６の基端部を一方の孔２００の壁面２００ａに固止する。そして、この頭部の鍔片を利用し、一方のビンディング取付け板３００の後退限を確保する。またこの杆体６の杆部を、一方のビンディング取付け板３００の貫通孔３００ａの内縁面より、当該一方のビンディング取付け板３００の前進方向Ｂに向かった端面に貫通した孔３００ａ１に移動可能に貫設する。そして、この一方の孔２００の壁面２００ａ−１と、一方のビンディング取付け板３００の壁面３００ｂとの間には、スプリング、シリンダ、アクチュエータ等の弾性部材（スプリング７とする）を設ける。
【００４１】
以上で説明した一方のビンディング取付け板３００の構造と、杆体６、並びにスプリング７で、第一の実施例の復帰手段を構成する。
【００４２】
従って、この一方のビンディング取付け板３００の前進方向Ｂへの移行（移動）は、例えば、競技者、滑走者（ユーザ）が、体勢を低くし、脚を前進方向Ｂに移動する（操作する）こと及び／又はスノーボードを押圧することで可能となり（杆部が孔３００ａ１を移動するとともに、頭部が空間Ｈの後退方向Ｂ１の内縁面に移動する。以下同じ）、そして、この一方のビンディング取付け板３００の移行は、スプリング７を圧縮（反力の生成）する。また、逆に、この一方のビンディング取付け板３００の後退方向Ｂ１への移行は（杆部が孔３００ａ１を移動するとともに、頭部が空間Ｈの前進方向Ｂに戻る。以下同じ）、例えば、ユーザが、体勢を浮上げる等して、脚を後退方向Ｂ１に移行するか、又は脚の力を抜くことで可能となり、当該一方のビンディング取付け板３００の移行で、スプリング７を解放する（反力の利用）。このような操作の一例を説明すると、例えば、上体を滑走面（雪面）より伸び上がった状態、又は浮かせた状態、或いはターン（カービングターン）の踏込み状態等で、スノーボード本体１（スノーボード）を、図５−１に示した、上方に膨出した状態（膨出状態）から、前記一方のビンディング取付け板３００を、前進方向Ｂに移行するとともに、スプリング７を圧縮することで、図５−２に示した、略水平状態に変化する。即ち、スノーボード本体１への踏込みを緩くするか、又は力を抜くこと（弛緩動作）で、この一方のビンディング取付け板３００が後退方向Ｂ１の略最終位置に移行し、ビンディング本体１の復元と、スプリング７の解放（反力の利用）により、このビンディング本体１の曲がりを矯正する（復帰する）。この矯正による反力で、スピードの加速と、ターンの向上と、並びにターンの姿勢及び／又は簡易化等に役立つこと、テクニックの利用と、その向上に寄与できること、等の特徴がある。尚、この弛緩動作を行わず、さらに、前記踏込み動作を続けて、空間Ｈの後退方向Ｂ１の内縁面に、頭部が略衝止することも可能である。即ち、一方のビンディング取付け板３００の移行を最終状態とすることで、図５−３に示した如く、逆方向に撓み、大きな反力を蓄える。その後、前述と同様に、弛緩動作を行うと、ビンディング本体１の復元と、スプリング７の反力により、このビンディング本体１は、最初の膨出状態に向かって戻る。この際に、このスプリング７の反発力は、スノーボード本体１の反発力に、さらに付加されることで、体重移動と、ターンの飛出し状態・雪圧・エッジ等に対する反力として利用できる。従って、図５−２の特徴より、さらに、スピードの加速と、ターンの向上と、並びにターンの姿勢及び／又は簡易化等に役立つこと、テクニックの利用と、その向上に寄与できること、等の特徴がある。その後は、図５−１の最初の状態である。
【００４３】
尚、一方のビンディング取付け板３００は、空間Ｈの範囲内で、頭部及び／又は杆部が移動するが、この移動する距離長さ、一方のビンディング取付け板３００が、前進後退することから、スプリング７を圧縮し（縮め）、また解放する（伸張する）。そして、このスプリング７の圧縮は、一方のビンディング取付け板３００の前進となり（反力の生成となる）。また、このスプリング７の開放は、この一方のビンディング取付け板３００の後退方向Ｂ１への移動となる（反力の利用となる）。
【００４４】
そして、図示しないが、他方のビンディング取付け板３０１を、この一方のビンディング取付け板３００と同じ構造とすることも可能であり、前述した、反力の更なる効果と、その特徴が期待できる。また、両脚での操作は、極めて、有効で、かつその反力と、特徴を充分に発揮できること、又は後述する第二の実施例等によるスノーボート本体１の反り効果と、特徴が可能となること等がある。
【００４５】
この一方・他方のビンディング取付け板３００、３０１には、一方・他方のビンディングＣ、Ｃ１を取付けるための複数の孔１０、１１を有する。また、プレート２は、中心を全体の幅Ａ１に対して、絞込み（曲面状に細くし）２０２を設けるとともに、長孔２０３（長手方向Ａ）に設ける構造とし、このプレート２に弾性を付与し、後述の弾性体と、同じような効果と特徴を達成することも可能である。
【００４６】
また、プレート２は、図４−１と、図４−２に示したように、二部品とし、一方のプレート２−１と、他方のプレート２−２の構造とし、この一方のプレート２−１と、他方のプレート２−２を、ゴム、弾性樹脂、スプリング等の弾性手段（弾性体１３）を介して、連繋する構造では、振動吸収に有効であり、さらに、可撓性の確保、捩れに対する有効性の確保等に役立つことから、積極的に設けることが望ましいが、限定されない。また、この弾性体１３を介して、二つの箇所に、一方のプレート２−１と、他方のプレート２−２を設けたパターンでは、好みの脚間を確保する。これにより、例えば、確実・容易・安全な滑走を確保し、また身体に易しい滑走が確保できる等の実用性がある。またこの二つのパターンを利用することで、多数な使用態様と、汎用性の向上等が確保できる。この第一の実施例の他の例であり、その他の構造は、前述した第一実施例に準ずる。そして、この一方のプレート２−１と、他方のプレート２−２間に、弾性体１３を設ける構造は、他の実施例にも採用できる。
【００４７】
尚、図６−１・図６−３は、第一の実施例の別の例を示したものであり、プレート２を、踏み板１００と、滑走板１０１との間に設けた構造である。従って、その説明は割愛するが、原則として、第一の実施例に準ずるが、この別の例では、踏み板１００に、一方のビンディング取付け板３００と、他方のビンディング取付け板３０１に開設した孔１０、１１が、貫通される構造である。この孔１０、１１及び／又は機具（図示せず）を利用し、踏み板１００にビンディングＣ、Ｃ１を取付ける。
【００４８】
図７−１〜図９は、第二の実施例を示したものであり、プレート２を、スノーボード本体１に枢支した対の支柱２０、２１を介して架承した構造であり、スノーボード本体１の踏み板１００の表面と、プレート２の裏面との間に、スペースＤ（空間）を形成する。そして、このプレート２の動きを、支柱２０、２１を介して、スノーボード本体１に伝える構造である。この例では、支柱２０とプレート２との間に、復帰手段を設け、前述のプレート２と一方のビンディング取付け板３００とで構成する復帰手段と同じ作用及び／又は効果を期待する。この復帰手段は、プレート２に開口した一方の孔２００と、この一方の孔２００と支柱２０との間に設けた前記杆体６、及びスプリング７で構成し、第一の実施例と、同じ動きをする。
【００４９】
即ち、例えば、ユーザが、体勢を低くし、プレート２を押圧することで、頭部が空間Ｈ内を後退方向Ｂ１に前進し（第一の実施例の前進に対応する）、プレート２と支柱２０、２１間の長さＬを短くなるとともに、スプリング７を圧縮する。この長さＬが短くなることで、スノーボード本体１（スノーボード）を、図７−１に示した、上方に膨出した状態から、図７−２に示した、略水平状態に変化し（スノーボード本体１の撓みを矯正し）、次の動作に対して、反力を保持する。前述の図５−２と同じ状況が期待できる。そして、前述の状態から、ユーザが、体勢をさらに戻し、プレート２への押圧を解放する（さらに体を浮かせか、力を抜く）ことで、頭部が空間Ｈ内を前進方向Ｂに前進し、前進限となり、プレート２と支柱２０、２１間の長さＬを、さらに短くなるとともに、スプリング７を解放する。前述の図５−３と同じ状況が期待できる。その後は、頭部が空間Ｈ内を前進方向Ｂに後退し（第一の実施例の後退に対応する）、プレート２と支柱２０、２１間の長さＬが長くなるとともに、スプリング７を解放し、最初の状態に戻る。その他の構造及び／又は動作は、前述の第一の実施例に準ずる。尚、この第二の実施例に、第一の実施例の復帰手段を併設することもできることと、この併設による構造は、相乗的な効果と、特徴が発揮できる。
【００５０】
尚、図８―１は、スプリング７を、シリンダ方式とした例を、また図８―２は、スプリング７を、ダンパー、又はアクチュエータ方式とした例を、それぞれ示している。そして、第二の実施例のプレート２と支柱２０、２１の動き、並びにスノーボード−本体１の長さ（長短、又は膨出、略水平、逆方向に撓み）の変化の関係を示した模式図である。
【００５１】
図１０−１〜図１１は、第三の実施例を示したものであり、プレート２を、スノーボード本体１に対の弾性支柱２３、２４を介して架承した構造であり、スノーボード本体１の踏み板１００の表面と、プレート２の裏面との間に、スペースＤ（空間）を形成するとともに、このスペースＤを、弾性支柱２３、２４の伸縮を介して、スペースＤの高さＤ１（高さ方向の幅）を変化させる。そして、このプレート２の動きを、弾性支柱２３、２４を介して、スノーボード本体１に伝える構造である。この例では、弾性支柱２３、２４とプレート２との間に、復帰手段を設け、前述のプレート２と一方のビンディング取付け板３００とで構成する復帰手段と同じ作用及び／又は効果を期待する。この復帰手段は、プレート２に開口した一方の孔２００と、この一方の孔２００と支柱２０との間に設けた前記杆体６、及びスプリング７で構成し、第一の実施例と、同じ動きをする。
【００５２】
即ち、例えば、ユーザが、体勢を低くし、プレート２を押圧することで、頭部が空間Ｈ内を後退方向Ｂ１に前進し（第一の実施例の前進に対応する）、プレート２と弾性支柱２３、２４間の長さＬを短くなるとともに、スプリング７を圧縮する。また、同時に、弾性支柱２３、２４を介して、スペースＤの高さＤ１が高くなり、かつ長さＬが短くなることで、スノーボード本体１（スノーボード）を、図１０−１に示した、上方に膨出した状態から、図１０−２に示した、略水平状態に変化し（スノーボード本体１の撓みを矯正し）、次の動作に対して、反力を保持する。前述の図５−２と同じ状況が期待できる。そして、前述の状態から、ユーザが、体勢をさらに戻し、プレート２への押圧をさらに解放する（さらに体を浮かせ、力を抜く）ことで、頭部が空間Ｈ内を前進方向Ｂに前進し、前進限となると、プレート２とスペースＤの高さＤ１が、一層高くなり、かつ長さＬが、一層短くなるとともに、スプリング７を解放される。前述の図５−３と同じ状況が期待できる。
その後は、頭部が空間Ｈ内を前進方向Ｂに後退し（第一の実施例の後退に対応する）、プレート２とスペースＤの高さＤ１が低くなり、かつ弾性支柱２３、２４間の長さＬが長くなるとともに、スプリング７を解放し、最初の状態に戻る。その他の構造及び／又は動作は、前述の第一の実施例及び／又は第二の実施例に準ずる。
【００５３】
図１２、図１３は、第四の実施例を示したものであり、プレート２を、スノーボード本体１に対の支柱２０、２１を介して架承した構造であり、スノーボード本体１の踏み板１００の表面と、プレート２の裏面との間に、スペースＤを形成するとともに、このスペースＤを、プレート２の他方の横孔２０１ｂ（幅Ａ１方向の孔）・一方の横孔２００ｂの中を移動する支柱２０、２１の分岐部に設けた転子２６、２７を介して、スペースＤの高さＤ１（高さ方向の幅）を変化させる。例えば、転子２６、２７を、それぞれ前進・後退方向に移動し、結果として、プレート２の長さを長短し、スノーボード本体１の撓みをコントロールすることで、前述の第二・第三の実施例と同様な状況及び／又は動作が期待できる。また、その特徴も同じである。
【図面の簡単な説明】
【００５４】
【図１】図１は、第一の実施例の全体の斜視図
【図２】図２は、第一の実施例のプレートに開設した対の孔と、各孔に設けた対のビンディング取付け板との関係を示した斜視図
【図３】図３は、図２の要部の拡大斜視図
【図４−１】図４−１は、第一の実施例の他の例を示したものであり、プレートに開設した対の孔と、各孔に設けた対のビンディング取付け板との関係を示した平面図で、一方のビンディング取付け板が停止位置にある状態を示している
【図４−２】図４−２は、図４−１の状態から、一方のビンディング取付け板が動作位置にある状態を示した平面図
【図５−１】図５−１は、第一の実施例の表面に設けたプレートに開設した対の孔と、各孔に設けた対のビンディング取付け板との関係を示し、この一方のビンディング    取付け板が停止位置にあって、このプレートがフラットの状態を示した側面図
【図５−２】図５−２は、図５−１の状態から、この一方のビンディング取付け板が作動位置にあって、このプレートに荷重がかかり、当該プレートとスノーボードが凹設した状態を示した側面図
【図５−３】図５−３は、図５−２の状態から、この一方のビンディング取付け板が停止位置に復帰し、このプレートに反発力が付与され、当該プレートがとスノーボードが、フラットの状態を経由し、凸設した状態に復帰した側面図
【図６−１】図６−１は、第一の実施例の別の例を示したものであり、埋設したプレートに開設した対の孔と、各孔に設けた対のビンディング取付け板との関係を示し、この一方のビンディング取付け板が停止位置にあって、このプレートがフラットの状態を示した側面図
【図６−２】図６−２は、図６−１の状態から、この一方のビンディング取付け板が作動位置にあって、このプレートに荷重がかかり、当該プレートとスノーボードが凹設した状態を示した側面図
【図６−３】図６−３は、図６−２の状態から、この一方のビンディング取付け板が    停止位置に復帰し、このプレートに反発力が付与され、当該プレートがとスノーボードが、フラットの状態を経由し、凸設した状態に復帰した側面図
【図７−１】図７−１は、第二の実施例のスノーボードに立設した固定板に、孔付きプレートを支持し、この各孔に設けた対のビンディング取付け板と、弾性装置とを備えたスノーボードの側面図で、この一方のビンディング取付け板が停止位置にあって、このプレートがフラットの状態を示した側面図
【図７−２】図７−２は、図７−１の状態から、この一方のビンディング取付け板が作動位置にあって、このプレートがフラットの状態を示した側面図
【図７−３】図７−３は、図７−２の状態から、この一方のビンディング取付け板が停止位置に復帰し、このプレートがフラットの状態を示した側面図
【図８−１】図８−１は、第二の実施例の他の一例を示した要部の拡大側面図
【図８−２】図８−１は、第二の実施例のさらに他の一例を示した要部の拡大側面図
【図９】図９は、第二の実施例のプレートと支柱、並びにスノーボードと動き（伸張）の関係を示した模式図である。
【図１０−１】図１０−１は、第三の実施例のスノーボードに立設した弾性柱に、孔付きプレートを支持し、この各孔に設けた対のビンディング取付け板と、弾性装置とを備えたスノーボードの側面図で、この一方のビンディング取付け板が停止位置にあって、このプレートがフラットの状態を示した側面図
【図１０−２】図１０−２は、図１０−１の状態から、この一方のビンディング取付け板が作動位置にあって、このプレートがフラットの状態を示した側面図
【図１０−３】図１０−３は、図１０−２の状態から、この一方のビンディング取付け板が停止位置に復帰し、このプレートがフラットの状態を示した側面図
【図１１】図１１は、第三の実施例のプレートと弾性支柱、並びにスノーボードと動き（伸張）の関係を示した模式図
【図１２】図１２は、第四の実施例を示した側面図
【図１３】図１３は、図１２の要部の拡大側面図
【符号の説明】
【００５５】
１              スノーボード本体
１００          踏み板
１００ａ        表面
１０１          滑走板
２              プレート
２−１          一方のプレート
２−２          他方のプレート
２００          一方の孔
２００ａ        貫通孔
２００ａ―１    壁面
２００ｂ        一方の横孔
２０１          他方の孔
２０１ｂ        他方の横孔
２０２          絞込み
２０３          長孔
３００          一方のビンディング取付け板
３００ａ        貫通孔
３００ｂ        壁面
３００ａ１      孔
３０１          他方のビンディング取付け板
３０１ａ        貫通孔
５              ガイド手段
６              杆体
７              スプリング
１０            孔
１１            孔
１３            弾性体
２０            支柱
２１            支柱
２３            弾性支柱
２４            弾性支柱
２６            転子
２７            転子
Ａ              長手方向
Ａ１            幅
Ｂ              前進方向
Ｂ１            後退方向
Ｃ              一方のビンディング
Ｃ１            他方のビンディング
Ｄ              スペース
Ｄ１            高さ
Ｈ              空間
Ｌ              長さ
【要約】
【課題】  従来、スノーボードの滑走の衝撃は、地面、雪面の凹凸、傾斜、ギャップ等の変化と、滑走者の姿勢等で区々であり、衝撃程度は、予想もできず、かつスノーボードの破損・損傷と、怪我、殺傷等の人身事故発生があり、問題である。このスノーボードを撓ませる技術と、その反発を有効利用した高度の技術で滑走し、滑走方向の変更、調節、体重移動の妙味等を図ること、またスピード感・爽快感の達成と、走行姿勢・スピード等が確保し、有意義な滑走を図ること等が求められている。
【構成】  本発明は、スノーボードの長手方向に向かって取付けられるプレートに開設した対の孔と、孔に設けた対のビンディング取付け板で構成したスノーボードで、対のビンディング取付け板の一方のビンディング取付け板を、対の孔の一方の孔に移動可能に設け、一方のビンディング取付け板と、一方の孔との間に、復帰手段を設ける構成としたスノーボードである。
【選択図】      図１【図１】
0004262295.tif 000002
【図２】
0004262295.tif 000003
【図３】
0004262295.tif 000004
【図４−１】
0004262295.tif 000005
【図４−２】
0004262295.tif 000006
【図５−１】
0004262295.tif 000007
【図５−２】
0004262295.tif 000008
【図５−３】
0004262295.tif 000009
【図６−１】
0004262295.tif 000010
【図６−２】
0004262295.tif 000011
【図６−３】
0004262295.tif 000012
【図７−１】
0004262295.tif 000013
【図７−２】
0004262295.tif 000014
【図７−３】
0004262295.tif 000015
【図８−１】
0004262295.tif 000016
【図８−２】
0004262295.tif 000017
【図９】
0004262295.tif 000018
【図１０−１】
0004262295.tif 000019
【図１０−２】
0004262295.tif 000020
【図１０−３】
0004262295.tif 000021
【図１１】
0004262295.tif 000022
【図１２】
0004262295.tif 000023
【図１３】
0004262295.tif 000024